(57)【特許請求の範囲】
【請求項１】
原稿台上に載置された原稿の画像を読み取る原稿読取部と、該原稿台上に原稿があることを検知する第１検知センサと、前記原稿台と並んで配置され、表示画面上に載置された小サイズの原稿の画像を読み取り且つ前記表示画面上に原稿があることを検知するエリアセンサを有する表示部と、前記第１検知センサ及び該エリアセンサにより前記原稿台上又は前記表示画面上に原稿があることを検知すると、前記原稿読取部又は前記エリアセンサにより原稿の画像を読み取る制御を行う制御部とを備えた原稿読取装置であって、
前記制御部は、前記第１検知センサにより前記原稿台上に原稿があることを検知し、且つ、前記エリアセンサにより前記表示画面上に原稿があることを検知し、前記エリアセンサの一部若しくは前記エリアセンサとは別途設けた定形検知用のセンサにより該原稿が定形サイズか否かを検知し、定形サイズでないと検知した場合には、前記原稿読取部による前記原稿台上の原稿の画像の読み取りを行い、前記エリアセンサによる原稿の画像の読み取りを禁止する制御を行うことを特徴とする原稿読取装置。
【請求項２】
請求項１に記載の原稿読取装置において、前記表示部は、前記定形サイズの原稿を載置すべき前記表示画面上の領域を示す表示を行い、前記エリアセンサの一部若しくは前記定形検知用のセンサは、前記領域内の前記定形サイズに相当する位置に配置されることを特徴とする原稿読取装置。
【請求項３】
請求項１又は２に記載の原稿読取装置において、前記制御部は、前記第１検知センサ及び前記エリアセンサにより、前記表示画面上と前記原稿台上の両方に原稿があることが検知された場合に、そのいずれに対して読み取りを行うかをユーザ操作に基づき選択する選択手段をさらに有することを特徴とする原稿読取装置。
【請求項４】
請求項３に記載の原稿読取装置において、前記表示部は、タッチパネルを有し、前記選択手段は、前記タッチパネルで操作可能な前記表示部の余白領域に読取キーを表示して、該表示された読取キーをユーザが操作した場合に、前記表示画面上の原稿の読み取りを行うことを特徴とする原稿読取装置。
【請求項５】
請求項１〜４のいずれか１項に記載の原稿読取装置において、前記表示部は、前記制御部での制御により読み取られた原稿の画像をプレビュー表示することを特徴とする原稿読取装置。
【請求項６】
請求項１〜５のいずれか１項に記載の原稿読取装置において、前記原稿台上に原稿を搬送する自動原稿送り装置と、該自動原稿送り装置に原稿が載置されていることを検知する第２検知センサとを備え、前記制御部は、前記第２検知センサ、前記第１検知センサ、及び前記エリアセンサにより、前記自動原稿送り装置と前記原稿台上と前記表示画面上の全てに原稿があることが検知された場合には、前記原稿台上の原稿の画像を読み取る制御を行うことを特徴とする原稿読取装置。
【請求項７】
請求項１〜６のいずれか１項に記載の原稿読取装置において、前記第１検知センサは、前記原稿読取部とは別に設けるか、若しくは前記原稿読取部で兼ねることを特徴とする原稿読取装置。
【請求項８】
請求項１〜７のいずれか１項に記載の原稿読取装置を備えた画像形成装置。
【発明の詳細な説明】
【技術分野】
【０００１】
本発明は、原稿読取装置及び画像形成装置に関し、液晶パネル等の表示画面上で原稿を読み取る機能を備えた原稿読取装置、及びその原稿読取装置を備えた画像形成装置に関する。
【背景技術】
【０００２】
近年、コピー機能、プリンタ機能、ファクシミリ機能、スキャナ機能などの複数の機能を備えたデジタル複合機（ＭＦＰ）が普及している。このＭＦＰには、通常Ａ３サイズまでの原稿を読み取ることができるように大きな原稿台が設けられている。ユーザはこのＭＦＰでコピーしようとした場合、原稿台に原稿をセットした状態で原稿カバー（原稿圧板）を閉めてスキャンを実行する。
【０００３】
この際、原稿カバーを閉じると原稿が隠れてしまい、ユーザは原稿を目視することができなくなる。このため、ユーザはコピーを入手した後に原稿台にセットした原稿をうっかり取り忘れてしまうことがある。特に免許証や、名刺、Ｌ版写真等のように比較的サイズの小さい原稿をコピーする場合、その存在に気が付かずに取り忘れることが多い。
【０００４】
ところで、比較的小型の液晶パネルに、従来の画像データを画面表示する表示機能に加えて、画面上に置かれた原稿を読み取る読取機能を持たせたインプットディスプレイが注目されている（例えば、特許文献１を参照）。このインプットディスプレイを携帯情報端末（ＰＤＡ）などの携帯端末に搭載することで、カードサイズの原稿を簡単に読み取って取り込むことができる。なお、インプットディスプレイには通常エリアセンサが用いられる。エリアセンサは、平面に設けられた光電変換素子により被写体の画像を電気信号として取り込むため、ラインセンサと異なり光電変換素子をスキャンする必要がなく、スキャンのためのモータ等が不要となる。
【特許文献１】特開２００６−１７９９７７号公報
【発明の開示】
【発明が解決しようとする課題】
【０００５】
ＭＦＰの操作部は通常タッチパネル付き液晶表示部を備えたものが多く、この部分はユーザが直接操作するところなので、ユーザにとって最も目に付く場所であると言える。仮に、この液晶表示部に前述の読取機能を備えるようにすれば、免許証などの比較的小サイズの原稿を読み取って取り込むことができる。このような構成を採用した場合、次の点で利便性が向上する。第１に、原稿を原稿台にセットして原稿カバーを閉じ、原稿画像読み取り後に原稿カバーを開けるといった作業が必要がないため、原稿の画像を簡単に読み取ることができる。第２に、液晶表示部がユーザにとって最も目に付く場所であることから原稿の取り忘れを防止することができる。
【０００６】
しかしながら、特許文献１に記載の技術を含む従来技術においては、インプットディスプレイをＭＦＰに組み込んで構成することまでは想定されておらず、従って従来のＭＦＰでは、液晶表示部で原稿を読み取ることはできない。
【０００７】
さらに、ＭＦＰの液晶表示部で原稿読み取りを行う構成を採用した場合には、原稿台上にユーザが原稿を載置したにも拘わらず、その原稿が原稿台からはみ出して液晶表示部にかかってしまうことがある。そのような場合、液晶表示部のエリアセンサでは原稿が載置されていると誤判定して、エリアセンサで余計な原稿画像を読み取ってしまうことになってしまう。
【０００８】
本発明は、上述のごとき実情に鑑みてなされたものであり、原稿台に載置された原稿の画像を読み取る原稿読取装置及びその原稿読取装置を備えた画像形成装置において、原稿台上での画像読み取りとは別に、エリアセンサを用いて表示部の表示画面上で原稿の画像を読み取ることにより、読み取り対象の原稿を原稿台上にセットする必要がなく原稿の取り忘れを防止すると共に、原稿を原稿台上に載置して原稿台から原稿がはみ出し表示画面上にかかった場合でも、誤って表示部上の原稿を読み取ることを防止することを可能にすることを、その目的とする。
【課題を解決するための手段】
【０００９】
上述の課題を解決するために、本発明の第１の技術手段は、原稿台上に載置された原稿の画像を読み取る原稿読取部と、該原稿台上に原稿があることを検知する第１検知センサと、前記原稿台と並んで配置され、表示画面上に載置された小サイズの原稿の画像を読み取り且つ前記表示画面上に原稿があることを検知するエリアセンサを有する表示部と、前記第１検知センサ及び該エリアセンサにより前記原稿台上又は前記表示画面上に原稿があることを検知すると、前記原稿読取部又は前記エリアセンサにより原稿の画像を読み取る制御を行う制御部とを備えた原稿読取装置であって、前記制御部は、前記第１検知センサにより前記原稿台上に原稿があることを検知し、且つ、前記エリアセンサにより前記表示画面上に原稿があることを検知し、前記エリアセンサの一部若しくは前記エリアセンサとは別途設けた定形検知用のセンサにより該原稿が定形サイズか否かを検知し、定形サイズでないと検知した場合には、前記原稿読取部による前記原稿台上の原稿の画像の読み取りを行い、前記エリアセンサによる原稿の画像の読み取りを禁止する制御を行うことを特徴としたものである。
【００１０】
第２の技術手段は、第１の技術手段において、前記表示部は、前記定形サイズの原稿を載置すべき前記表示画面上の領域を示す表示を行い、前記エリアセンサの一部若しくは前記定形検知用のセンサは、前記領域内の前記定形サイズに相当する位置に配置されることを特徴としたものである。
【００１２】
第３の技術手段は、第１又は第２の技術手段において、前記制御部は、前記第１検知センサ及び前記エリアセンサにより、前記表示画面上と前記原稿台上の両方に原稿があることが検知された場合に、そのいずれに対して読み取りを行うかをユーザ操作に基づき選択する選択手段をさらに有することを特徴としたものである。
【００１３】
第４の技術手段は、第３の技術手段において、前記表示部は、タッチパネルを有し、前記選択手段は、前記タッチパネルで操作可能な前記表示部の余白領域に読取キーを表示して、該表示された読取キーをユーザが操作した場合に、前記表示画面上の原稿の読み取りを行うことを特徴としたものである。
【００１４】
第５の技術手段は、第１〜第４のいずれかの技術手段において、前記表示部は、前記制御部での制御により読み取られた原稿の画像をプレビュー表示することを特徴としたものである。
【００１５】
第６の技術手段は、第１〜第５のいずれかの技術手段において、前記原稿台上に原稿を搬送する自動原稿送り装置と、該自動原稿送り装置に原稿が載置されていることを検知する第２検知センサとを備え、前記制御部は、前記第２検知センサ、前記第１検知センサ、及び前記エリアセンサにより、前記自動原稿送り装置と前記原稿台上と前記表示画面上の全てに原稿があることが検知された場合には、前記原稿台上の原稿の画像を読み取る制御を行うことを特徴としたものである。
【００１６】
第７の技術手段は、第１〜第６のいずれかの技術手段において、前記第１検知センサは、前記原稿読取部とは別に設けるか、若しくは前記原稿読取部で兼ねることを特徴としたものである。
第８の技術手段は、第１〜第７のいずれかの技術手段における原稿読取装置を備えた画像形成装置である。
【発明の効果】
【００１７】
本発明によれば、原稿台に載置された原稿の画像を読み取る原稿読取装置において、原稿台上での画像読み取りとは別に、エリアセンサを用いて表示部の表示画面上で原稿の画像を読み取ることにより、読み取り対象の原稿を原稿台上にセットする必要がなく原稿の取り忘れを防止すると共に、原稿を原稿台上に載置して原稿台から原稿がはみ出し表示画面上にかかった場合でも、誤って表示部上の原稿を読み取ることを防止することが可能となる。
【発明を実施するための最良の形態】
【００１８】
以下、添付図面を参照しながら、本発明の原稿読取装置及びその原稿読取装置を備えた画像形成装置の好適な実施の形態について説明する。
【００１９】
図１は、本発明の一実施形態に係る画像形成装置の構成例を示す図で、図中、１００は画像形成装置を示す。画像形成装置１００は、外部から伝達された画像データに応じて、所定のシート（記録用紙）に対して多色及び単色の画像を形成するもので、装置本体部１１０と、自動原稿送り装置１２０とにより構成されており、デジタル／アナログに拘わらずＭＦＰ等で例示できる。
【００２０】
装置本体部１１０は、露光ユニット１、現像器２、感光体ドラム３、クリーナユニット４、帯電器５、中間転写ベルトユニット６、定着ユニット７、給紙カセット８１、排紙トレイ９１等を有して構成されている。
【００２１】
装置本体部１１０の上部には、原稿が載置される透明ガラスからなる原稿載置台９２が設けられ、原稿載置台９２の上側には自動原稿送り装置１２０が取り付けられている。自動原稿送り装置１２０は、原稿載置台９２の上に自動で原稿を搬送する。また自動原稿送り装置１２０は矢印Ｍ方向に回動自在に構成され、原稿載置台９２の上を開放することにより原稿を手置きで置くことができるようになっている。
【００２２】
画像形成装置１００において扱われる画像データは、ブラック（Ｋ）、シアン（Ｃ）、マゼンタ（Ｍ）、イエロー（Ｙ）の各色を用いたカラー画像に応じたものである。従って、現像器２、感光体ドラム３、帯電器５、及びクリーナユニット４は、各色に応じた４種類の潜像を形成するようにそれぞれ４個ずつ設けられ、それぞれブラック、シアン、マゼンタ、イエローに設定され、これらによって４つの画像ステーションが構成されている。
【００２３】
帯電器５は、感光体ドラム３の表面を所定の電位に均一に帯電させるための帯電手段であり、図１に示すようなチャージャ型の他、接触型のローラ型やブラシ型の帯電器が用いられることもある。
【００２４】
露光ユニット１は、レーザ出射部及び反射ミラー等を備えたレーザスキャニングユニット（ＬＳＵ）として構成される。露光ユニット１は、レーザビームを走査するポリゴンミラーと、ポリゴンミラーによって反射されたレーザ光を感光体ドラム３に導くためのレンズやミラー等の光学要素が配置されている。露光ユニット１を構成する光走査装置の構成は、後述して具体的に説明する。また露光ユニット１としては、この他発光素子をアレイ状に並べた例えばＥＬやＬＥＤ書込みヘッドを用いる手法も採用できる。
【００２５】
露光ユニット１は、帯電された感光体ドラム３を入力された画像データに応じて露光することにより、その表面に、画像データに応じた静電潜像を形成する機能を有する。現像器２はそれぞれの感光体ドラム３上に形成された静電潜像を４色（ＹＭＣＫ）のトナーにより顕像化するものである。またクリーナユニット４は、現像・画像転写後における感光体ドラム３上の表面に残留したトナーを、除去・回収する。
【００２６】
感光体ドラム３の上方に配置されている中間転写ベルトユニット６は、中間転写ベルト６１、中間転写ベルト駆動ローラ６２、中間転写ベルト従動ローラ６３、中間転写ローラ６４、及び中間転写ベルトクリーニングユニット６５を備えている。中間転写ローラ６４は、ＹＭＣＫ用の各色に対応して４本設けられている。
【００２７】
中間転写ベルト駆動ローラ６２、中間転写ベルト従動ローラ６３、及び中間転写ローラ６４は、中間転写ベルト６１を張架して回転駆動させる。また各中間転写ローラ６４は、感光体ドラム３のトナー像を、中間転写ベルト６１上に転写するための転写バイアスを与える。
【００２８】
中間転写ベルト６１は、各感光体ドラム３に接触するように設けられている、そして、感光体ドラム３に形成された各色のトナー像を中間転写ベルト６１に順次的に重ねて転写することによって、中間転写ベルト６１上にカラーのトナー像（多色トナー像）を形成する機能を有している。中間転写ベルト６１は、例えば厚さ１００μｍ〜１５０μｍ程度のフィルムを用いて無端状に形成されている。
【００２９】
感光体ドラム３から中間転写ベルト６１へのトナー像の転写は、中間転写ベルト６１の裏側に接触している中間転写ローラ６４によって行われる。中間転写ローラ６４には、トナー像を転写するために高電圧の転写バイアス（トナーの帯電極性（−）とは逆極性（＋）の高電圧）が印加されている。中間転写ローラ６４は、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト６１に対して均一に高電圧を印加することができる。本実施形態では転写電極としてローラ形状を使用しているが、それ以外にブラシなども用いることが可能である。
【００３０】
上述のように各感光体ドラム３上で各色相に応じて顕像化された静電像は中間転写ベルト６１で積層される。このように、積層された画像情報は中間転写ベルト６１の回転によって、後述の用紙と中間転写ベルト６１の接触位置に配置される転写ローラ１０によって用紙上に転写される。
【００３１】
このとき、中間転写ベルト６１と転写ローラ１０は所定ニップで圧接されると共に、転写ローラ１０にはトナーを用紙に転写させるための電圧が印加される（トナーの帯電極性（−）とは逆極性（＋）の高電圧）。さらに、転写ローラ１０は上記ニップを定常的に得るために、転写ローラ１０もしくは中間転写ベルト駆動ローラ６２の何れか一方を硬質材料（金属等）とし、他方を弾性ローラ等の軟質材料（弾性ゴムローラ、または発泡性樹脂ローラ等々）が用いられる。
【００３２】
また、上述のように、感光体ドラム３に接触することにより中間転写ベルト６１に付着したトナー、もしくは転写ローラ１０によって用紙上に転写が行われず中間転写ベルト６１上に残存したトナーは、次工程でトナーの混色を発生させる原因となるために、中間転写ベルトクリーニングユニット６５によって除去・回収されるように設定されている。中間転写ベルトクリーニングユニット６５には、中間転写ベルト６１に接触する例えばクリーニング部材としてクリーニングブレードが備えられており、クリーニングブレードが接触する中間転写ベルト６１は、裏側から中間転写ベルト従動ローラ６３で支持されている。
【００３３】
給紙カセット８１は、画像形成に使用するシート（記録用紙）を蓄積しておくためのトレイであり、装置本体部１１０の露光ユニット１の下側に設けられている。また手差し給紙カセット８２にも画像形成に使用するシートを置くことができる。また、装置本体部１１０の上方に設けられている排紙トレイ９１は、印刷済みのシートをフェイスダウンで集積するためのトレイである。
【００３４】
また、装置本体部１１０には、給紙カセット８１及び手差し給紙カセット８２のシートを転写ローラ１０や定着ユニット７を経由させて排紙トレイ９１に送るための、略垂直形状の用紙搬送路Ｓが設けられている。給紙カセット８１ないし手差し給紙カセット８２から排紙トレイ９１までの用紙搬送路Ｓの近傍には、ピックアップローラ１１ａ，１１ｂ、複数の搬送ローラ１２ａ〜１２ｄ，レジストローラ１３、転写ローラ１０、定着ユニット７等が配されている。
【００３５】
搬送ローラ１２ａ〜１２ｄは、シートの搬送を促進・補助するための小型のローラであり、用紙搬送路Ｓに沿って複数設けられている。またピックアップローラ１１ａは、給紙カセット８１の端部近傍に備えられ、給紙カセット８１からシートを１枚ずつピックアップして用紙搬送路Ｓに供給する。同様にまたピックアップローラ１１ｂは、手差し給紙カセット８２の端部近傍に備えられ、手差し給紙カセット８２からシートを１枚ずつピックアップして用紙搬送路Ｓに供給する。
【００３６】
また、レジストローラ１３は、用紙搬送路Ｓを搬送されているシートを一旦保持するものである。そして、感光体ドラム３上のトナー像の先端とシートの先端を合わせるタイミングでシートを転写ローラ１０に搬送する機能を有している。
【００３７】
定着ユニット７は、ヒートローラ７１及び加圧ローラ７２を備えており、ヒートローラ７１及び加圧ローラ７２は、シートを挟んで回転するようになっている。またヒートローラ７１は、図示しない温度検出器からの信号に基づいて制御部によって所定の定着温度となるように設定されており、加圧ローラ７２とともにトナーをシートに熱圧着することにより、シートに転写された多色トナー像を溶融・混合・圧接し、シートに対して熱定着させる機能を有している。またヒートローラ７１を外部から加熱するための外部加熱ベルト７３が設けられている。
【００３８】
次にシート搬送経路を詳細に説明する。上述のように、画像形成装置１００には予めシートを収納する給紙カセット８１、及び手差し給紙カセット８２が設けられている。これら給紙カセット８１，８２からシートを給紙するために、各々ピックアップローラ１１ａ，１１ｂが配置され、シートを１枚ずつ搬送路Ｓに導くようになっている。
【００３９】
各給紙カセット８１，８２から搬送されるシートは用紙搬送路Ｓの搬送ローラ１２ａによってレジストローラ１３まで搬送され、シートの先端と中間転写ベルト６１上の画像情報の先端を整合するタイミングで転写ローラ１０に搬送され、シート上に画像情報が書き込まれる。その後、シートは定着ユニット７を通過することによってシート上の未定着トナーが熱で溶融・固着され、その後に配された搬送ローラ１２ｂを経て排紙トレイ９１上に排出される。
【００４０】
上述した搬送経路は、シートに対する片面印字要求のときのものであるが、これに対して両面印字要求の時は、上述のように片面印字が終了し定着ユニット７を通過したシートの後端が最終の搬送ローラ１２ｂで把持されたときに、搬送ローラ１２ｂが逆回転することによってシートを搬送ローラ１２ｃ，１２ｄに導く。そして、その後レジストローラ１３を経てシート裏面に印字が行われた後にシートが排紙トレイ９１に排出される。
【００４１】
図２は、図１に示した画像形成装置１００の構成例を示すブロック図である。図中、画像形成装置１００は、本発明の制御部に相当するメインＣＰＵ（Central Processing Unit）１０１を備える。そして、メインＣＰＵ１０１には、画像処理部１０２、ＲＯＭ（Read Only Memory）１０３、ＲＡＭ（Random Access Memory）１０４、画像メモリ１０５、ＮＩＣ（Network Interface Card）１０６、操作パネル４００、サブＣＰＵ２０３、及びサブＣＰＵ３０３が接続されている。
【００４２】
メインＣＰＵ１０１は、ＮＩＣ１０６を介したクライアントＰＣ（Personal Computer）１０７からの操作、あるいは操作パネル４００からのユーザ操作に基づき、ＲＯＭ１０３に予め書き込まれたプログラムにしたがって画像形成装置１００内の各入出力機器を統括して制御し、この間に入出力されるデータをＲＡＭ１０４の所定のメモリエリアに一時記憶する。
【００４３】
ＮＩＣ１０６は、クライアントＰＣ１０７と通信回線を介して通信を行うための通信手段である。画像形成装置１００は、クライアントＰＣ１０７から転送されるプリントデータに基づいて印刷を行う。より具体的には、クライアントＰＣ１０７から送信されたプリントデータは必要に応じて画像処理部１０２で画像処理が施され、画像メモリ１０５に記憶され、画像形成部２００で印刷される。画像形成装置１００は、後述する原稿読取部３００又はエリアセンサ部４０１ｂにより得た画像データをＮＩＣ１０６を介してクライアントＰＣ１０７に転送する処理も可能となっている。また、クライアントＰＣ１０７から送信されたファイルやパスワードは、図示しないＨＤＤ（Hard Disk Drive）に記憶される。
【００４４】
操作パネル４００は、一体型表示部４０１と、ユーザ操作を行うためのテンキーやスタートキーなどのキースイッチ部４０２とを備える。一体型表示部４０１は、液晶ディスプレイ（LCD：Liquid Crystal Display）などの本発明の表示部に相当する表示部４０１ａと、主に名刺、免許証等のＩＤカード、Ｌ版写真など、小サイズ原稿の画像を光学的に読み取るエリアセンサ部４０１ｂとが一体的に設けられている。また、表示部４０１ａは、例えば画像形成装置１００の状態や利用可能な用紙サイズ、複写倍率等の表示や、各種操作キーの押下領域の表示など、ユーザ操作時のグラフィカルユーザインターフェース（ＧＵＩ）画像を表示する。なお、エリアセンサ部４０１ｂは、ユーザの指による反射光を検出することで、画面上における指の座標位置を特定することができる。このため、エリアセンサ部４０１ｂをユーザ操作に用いる光学式タッチパネルとしても利用することができる。
【００４５】
キースイッチ部４０２やこのタッチパネルから入力されたユーザ操作の内容はメインＣＰＵ１０１に渡され、またエリアセンサ部４０１ｂで読み取られた画像のデータは画像処理部１０２へ渡される。
【００４６】
原稿読取部３００は、サブＣＰＵ３０３により制御され、光源ランプユニット３０１、ドライバ３０２、Ａ／Ｄ変換器３０４を含み、原稿台に載置された原稿の画像を光学的に読み取り、画像処理部１０２へ渡す。この光源ランプユニット３０１は、図１に示した露光ユニット１に相当し、光源ランプ３０１ａ、ＣＣＤ（Charge Coupled Device）等の光量センサ３０１ｂを備える。光量センサ３０１ｂは、光源ランプユニット３０１の光源ランプ３０１ａが照射した光の光量を検出して光量データをサブＣＰＵ３０３に入力する。
【００４７】
画像処理部１０２は、原稿読取部３００又はエリアセンサ部４０１ｂで読み取られた画像データを受けて、各種画像処理を施す。画像メモリ１０５は、画像処理部１０２から出力された画像データを記憶し、ページ単位など所定の単位の画像データが記憶された状態で画像形成部２００に画像データを渡す。なお、原稿読取部３００又はエリアセンサ部４０１ｂで読み取られた画像データは、画像処理部１０２の処理単位となるまで一時的に画像メモリ１０５に記憶させておき、画像処理後に再度書き込んでもよい。また、読み取られた画像データは、画像処理部１０２を経ずにそのまま印刷用に画像メモリ１０５へ入力されてもよいし、また図示しないＨＤＤへ記憶させることも可能である。
【００４８】
画像形成部２００は、サブＣＰＵ２０３により制御され、定着ユニット２０１、ドライバ２０２、Ａ／Ｄ変換器２０４を含み、画像メモリ１０５から送られた画像データを印刷する。この定着ユニット２０１は、図１に示した定着ユニット７に相当し、定着ヒータ２０１ａ、定着温度センサ２０１ｂを備える。定着温度センサ２０１ｂは、図１の定着ユニット７において加熱（ヒート）ローラ７１の温度を検出して温度データをサブＣＰＵ２０３に出力する。
【００４９】
電源が待機状態にあるときのメインＣＰＵ１０１による復帰処理について説明する。メインＣＰＵ１０１は第１の復帰処理として、サブＣＰＵ２０３に所定のウォームアップコマンドを送信する。サブＣＰＵ２０３は、メインＣＰＵ１０１より所定のウォームアップコマンドを受けると、ドライバ２０２を介して、定着ヒータ２０１ａに通電し、定着温度センサ２０１ｂから得られる温度情報を基に、定着ヒータ２０１ａにより加熱される加熱ローラ７１の表面温度を所定の温度に一定化するよう定着ヒータ２０１ａの通電を制御する。ここで、ドライバ２０２は、サブＣＰＵ２０３から出力された制御データに基づいて定着ユニット２０１の加熱ローラに内蔵された定着ヒータ２０１ａを駆動する。サブＣＰＵ２０３は加熱ローラ７１の表面が所定温度に到達したならば、処理可能状態（レディ状態）に達したと判断して、メインＣＰＵ１０１に通知する。
【００５０】
また、メインＣＰＵ１０１は第２の復帰処理として、サブＣＰＵ３０３に所定のウォームアップコマンドを送信する。サブＣＰＵ３０３は、メインＣＰＵ１０１より所定のウォームアップコマンドを受けると、ドライバ３０２を介して、光源ランプ３０１ａに通電し、光量センサ３０１ｂから得られる光量情報を基に、光源ランプ３０１ａの光量が所定の光量に一定化するよう光源ランプ３０１ａの通電を制御する。ここで、ドライバ３０２は、サブＣＰＵ３０３から出力された制御データに基づいて光源ランプ３０１ａを駆動する。サブＣＰＵ３０３は光源ランプ３０１ａの光量が所定の光量に到達したら、処理可能状態（レディ状態）に達したと判断して、メインＣＰＵ１０１に通知する。
【００５１】
なお、上記構成以外にもモータ、クラッチ、ソレノイド、及びセンサ等の画像形成処理時、原稿読取処理時に動作する多数の入出力機器が、それぞれサブＣＰＵ２０３、サブＣＰＵ３０３に接続されている。サブＣＰＵ２０３、サブＣＰＵ３０３は、それぞれ画像形成処理時、原稿読取処理時に、所定のタイミングでそのセンサの検出データを読み取り、検出データに応じてモータ等を駆動する。
【００５２】
図２の例において、本発明に係る原稿読取装置は、メインＣＰＵ１０１と、原稿読取部３００と、操作パネル４００に具備される、エリアセンサ部４０１ｂを一体的に設けた一体型表示部４０１とで構成される。つまり、本発明に係る原稿読取装置は、一体型表示部４０１のように、装置操作を行うための表示部に原稿読取機能を持つ表示一体型原稿読取装置を設けて、小サイズの原稿であればエリアセンサを用いて操作パネル４００の表示画面上で原稿画像の読み取りを行うことが可能となっている。従って、読み取り対象の原稿を原稿台上にセットする必要がないために、原稿カバーを上下したりする操作が不要となり利便性が向上する。さらに、操作パネル４００というユーザの目につきやすい位置に原稿を載置するために、原稿の取り忘れを防止することができる。
【００５３】
本発明に係る原稿読取装置について、まず、図３を参照してエリアセンサ部４０１ｂの構成例を挙げる。図３は、本発明に係る一体型表示部４０１の構造の一例を示す図で、図中、４１は液晶層、４２は光センサ、４３は遮光層、４４はバックライト光源を示す。
【００５４】
エリアセンサ部４０１ｂは、表示画面からの入射光を検出するためにＸＹ平面に均等に配置された複数の微少な光センサ４２からなり、表示部４０１ａの液晶層４１と、バックライト光源４４の中間に位置する。光センサ４２には例えばフォトダイオードが用いられる。また、光センサ４２にはバックライト光源４４の光が入射しないよう、遮光層４３が形成されている。液晶層４１の表面に物体が接触すると、バックライト光源４４の光が接触した物体に反射して光センサ４２に入射することで、物体の画像形状が画像データとして出力される。
【００５５】
なお、図３において、光センサとバックライト光源とは、例えば、公知の方法（特開２００４−１５３３２７号公報など）により配置される。光センサの面積は微小であり、実際には光センサ間に十分な広さの間隙が構成される。そして、この間隙を介してバックライト光が照射、拡散されるため、図３のように光センサを配置した場合でも液晶表示に影響することはない。
【００５６】
次に、本発明に係る原稿読取装置の制御部（メインＣＰＵ１０１）の処理について詳細に説明する。図４〜図６は、図１及び図２で示した画像形成装置の構成例を示す外観図で、図４は、本発明の原稿読取装置が備える操作パネル上にのみ原稿が載置された状態を示す図、図５は本発明の原稿読取装置が備える操作パネル上と原稿台上の双方に別の原稿が載置された状態を示す図、図６は本発明の原稿読取装置が備える操作パネル上に跨って原稿台上に原稿が載置された状態を示す図である。
【００５７】
まず、原稿台９２は、図４〜図６に示すように、一体型表示部４０１の表示画面に連続した面に設けられているものとする。ここで、連続した面に関して補足する。一体型表示部４０１の表示平面は、原稿台９２が設置されている水平面と同じ平面に設けられていてもよいし、同じ平面でなくても、平行な平面に設けられていても、またやや傾いた平面に設けられていてもよい。換言すると、一体型表示部４０１は原稿台９２と並んで配置されている。
【００５８】
上述のごとく原稿読取装置は、一体型表示部４０１の画面上にセットされた免許証や名刺等の小サイズの原稿４５をエリアセンサ部４０１ｂにより読み取り可能となっており、また原稿台９２に載置された原稿の画像を原稿読取部３００により読み取り可能となっている。そして、メインＣＰＵ１０１は、エリアセンサ部４０１ｂでの原稿画像の読み取り制御と、原稿読取部３００での原稿画像の読み取り制御とを行う。ここで、メインＣＰＵ１０１は、基本的に、原稿台９２上又は一体型表示部４０１の表示画面上に原稿があることを検知すると、原稿読取部３００又はエリアセンサ部４０１ｂにより原稿の画像を読み取る制御を行う。但し、本発明では、一体型表示部４０１と原稿台９２との位置関係から両者に同じ原稿が載置されてしまう可能性があるため、メインＣＰＵ１０１では、いずれに原稿が載置されているかや双方に原稿が載置されているかなどによって、制御を異ならせている。
【００５９】
まず、図４に示すように一体型表示部４０１にのみ原稿が載置されている場合には、エリアセンサ部４０１ｂでは原稿４５を検知でき、且つ原稿読取部３００又は別途設けられた原稿検知センサで原稿を検知できない。このような検知結果を得たとき、メインＣＰＵ１０１は、キースイッチ部４０２スタートキーの押下又はエリアセンサ部４０１ｂのタッチパネル機能を用いたスタート操作を待って、エリアセンサ部４０１ｂに画像読み取りを指示する。エリアセンサ部４０１ｂは、一体型表示部４０１上の原稿４５の画像を読み取り、画像処理部１０２（又は画像メモリ１０５）に渡す。
【００６０】
また、図示しないが、原稿台９２にのみ原稿が載置され且つその原稿が一体型表示部４０１の一部又は全部を覆うことがない場合には、エリアセンサ部４０１ｂでは原稿等の物体を検知できず、且つ原稿読取部３００又は別途設けられた原稿検知センサでのみ原稿を検知できる。このような検知結果を得たとき、メインＣＰＵ１０１は、キースイッチ部４０２のスタートキーの押下又はタッチパネルによるスタート操作を待って、原稿読取部３００に画像読み取りを指示する。原稿読取部３００は、原稿台９２上の原稿の画像を読み取り、画像処理部１０２（又は画像メモリ１０５）に渡す。
【００６１】
一方、図５や図６に示すように、一体型表示部４０１及び原稿台９２の双方に原稿が載置されている場合には、エリアセンサ部４０１ｂで物体（この場合は原稿）を検知でき、且つ原稿読取部３００又は別途設けられた原稿検知センサでも原稿を検知できる。このような検知結果を得たとき、メインＣＰＵ１０１は、まずエリアセンサ部４０１ｂで検知された原稿と原稿読取部３００又は別途設けられた原稿検知センサで検知された原稿とが、図５のように別々の原稿４５，９３であるのか、あるいは図６のように同じ原稿であり原稿台９２上の原稿９４がはみ出して一体型表示部４０１上にかかったのかを判定する。
【００６２】
より具体的には、メインＣＰＵ１０１は、表示部４０１ａの表示画面上と原稿台９２上の両方に原稿などの物体が載置されている場合（つまり両方に物体が載置されていることが検知された場合）、表示画面上に載置された原稿が定形サイズであるか（１又は複数の定形サイズのうちいずれかであるか）否かを判定する。原稿のサイズの検知については、図１０を参照して後述する。
【００６３】
そして、メインＣＰＵ１０１は、判定の結果、定形サイズであれば、エリアセンサ部４０１ｂにより表示画面上に載置された原稿４５の画像を読み取るよう制御する。つまり、一体型表示部４０１上で検知した原稿サイズが定形サイズであれば、一体型表示部４０１での画像読み取り（すなわちエリアセンサ部４０１ｂでの画像読み取り）が優先される。ここで、メインＣＰＵ１０１は、キースイッチ部４０２のスタートキーの押下又はタッチパネルによるスタート操作を待って、エリアセンサ部４０１ｂに画像読み取りを指示する。図５の例では、この指示に従いエリアセンサ部４０１ｂが、一体型表示部４０１上の原稿４５の画像を読み取り、画像処理部１０２（又は画像メモリ１０５）に渡す。ここで、一体型表示部４０１上で検知した原稿サイズが定形サイズであったときに、原稿読取部３００での画像読み取りを優先して実行してもよく、最終的に双方の原稿を読み取るような制御を行ってもよい。
【００６４】
一方、メインＣＰＵ１０１は、判定の結果、定形サイズでなければ（すなわち不定形サイズであれば）、原稿台９２上に載置された原稿の続きであって原稿台９２からはみ出して一体型表示部４０１上にかぶっているものと判断して、原稿読取部３００により原稿台９２上の原稿の画像を読み取るよう制御すると共に、エリアセンサ部４０１ｂによる原稿の画像の読み取りを禁止する制御を行う。ここで、原稿台９２上に載置された原稿の続きとなるような場合としては、図６で示す原稿９４のような特大サイズの原稿である場合や、それ程大きくなくてもユーザが縦長の原稿を縦方向に載置した場合などが挙げられる。
【００６５】
このように、一体型表示部４０１上で検知した物体が不定形サイズであれば、原稿台９２の画像読み取り（すなわち原稿読取部３００での画像読み取り）のみを行う。すなわち、メインＣＰＵ１０１は、原稿台９２上に原稿有り且つ表示画面上で不定形サイズの物体有りを検知した場合には、原稿読取部３００による読み取りを行い、エリアセンサ部４０１ｂによる読み取りを禁止する。ここで、メインＣＰＵ１０１は、キースイッチ部４０２のスタートキーの押下又はタッチパネルによるスタート操作を待って、原稿読取部３００に画像読み取りを指示する。図６の例では、この指示に従い原稿読取部３００が、原稿台９２上の原稿９４の画像を読み取り、画像処理部１０２（又は画像メモリ１０５）に渡す。なお、上述の検知結果を得たときに、キースイッチ部４０２のスタートキーの押下を待って、押下が検出された段階で、上述の判定を行ってもよい。
【００６６】
このように、本発明では、図６で例示したように、原稿９４が原稿台９２からはみ出して一体型表示部４０１上にかかっても、誤って一体型表示部４０１上の原稿を読み取ってしまうことを防止できる。さらに、本発明では、一体型表示部４０１上に原稿を載置したことを検出して、その原稿を読み取るモードを、エリアセンサ部４０１ｂで読み取るモードと原稿読取部３００で読み取るモードとの間で自動的に切り換えているため、利便性が更に向上する。
【００６７】
次に、図７〜図９を参照して、ユーザによる一体型表示部４０１への原稿載置方法、並びにそれを支援するための好ましいＧＵＩ画面について説明する。図７は、図４〜図６の操作パネルの詳細を示す外観図で、図８は、図７の操作パネルにおける一体型表示部の表示内容の例を示す図である。図７及び図８において、Ｐは原稿位置決め指標点を示す。
【００６８】
図７で示す操作パネル４００の一体型表示部４０１には、初期画面として図８に示すように、定形サイズの原稿に対する読み取り可能なエリアを表示しておくことが好ましい。つまり、表示部４０１ａは、定形サイズの原稿を載置すべき表示画面上の領域を示す表示を行うことが好ましい。図８では原稿が画面上に載置されていない場合の見え方を示しており、この初期画面例では、この領域を示す表示として「小サイズ原稿読取エリア」と表示しており、また他の領域にはメニュータブ４１０等を表示している。
【００６９】
メニュータブ４１０は、原稿読取装置の各種操作キーをメニュータブ（各設定項目を示すタブ）毎にタブ切換可能な状態で表示したもので、例えば、用紙サイズ、倍率（拡大／縮小の倍率）、詳細設定などのタブが切り換え可能な状態で表示される。なお、本例では用紙サイズとして「Ａ４」が選択されているため、原稿はＡ４サイズの用紙に印刷出力される。なお、詳細設定タブでは、例えば後処理、片面／両面、Ｎｉｎ１などの設定が可能となっている。
【００７０】
そして、ユーザは、一体型表示部４０１による原稿の画像読み取りを実行したい場合、図８の初期画面を見ながら、一体型表示部４０１の画面上の点Ｐを基準にして「小サイズ原稿読取エリア」と画面表示されている領域に、図４のように原稿４５をセットする。なお、図８の画面を初期表示画面として説明したが、当然、この画面に至るまでに別の画面を用意しておいてもよい。
【００７１】
図９は、図８の一体型表示部に原稿を載置した例を示す図である。図９（Ａ）は小サイズの原稿を載置した直後の画面例を示し、図９（Ｂ）は図９（Ａ）の状態でスタートキーが押下され読み取り処理が実行された後の画面例を示し、図９（Ｃ）は図９（Ｂ）の状態でＮｉｎ１キーが押下された後の画面例を示す。
【００７２】
原稿４５が一体型表示部４０１の「小サイズ原稿読取エリア」にセットされると、メインＣＰＵ１０１が、エリアセンサ部４０１ｂにより画面上における原稿４５の載置を検知する。原稿読取装置は、原稿４５が画面上に載置されたことを検知すると、「小サイズ原稿読取モード」に移行する。このモードに切り換わったことをメインＣＰＵ１０１から受けると、表示部４０１ａが「小サイズ原稿読取モード」に設定されたことを示す表示、例えば図９（Ａ）に示すように「スタートボタンオンで小サイズ原稿の読み取りを行います。」というメッセージを表示する。なお、図９（Ａ）の例では、モード切換に伴い表示部４０１ａが、メニュータブの右の項目を「詳細設定」から「画像位置」に変更し、用紙上での画像の印刷位置の設定を可能にしている。
【００７３】
そして、図９（Ａ）に示すように、原稿４５を画面上にセットした状態で、ユーザが操作パネル４００に設けられたキースイッチ部４０２の「スタートキー」を押下すると、エリアセンサ部４０１ｂにより原稿４５の読み取り処理が開始される。もしくは、ＧＵＩとして、定形サイズの原稿を載置したときに原稿が載置されない位置（表示部４０１ａの位置）にスタート操作画像を表示しておき、その画像領域がユーザ選択されたときに、エリアセンサ部４０１ｂによる原稿４５の読み取りを開始してもよい。
【００７４】
ここで、表示部４０１ａは、メインＣＰＵ１０１での制御により、読み取られた原稿の画像をプレビュー表示することが好ましい。プレビュー表示する画像は、読み取った原稿画像そのままではなく、間引いたサムネイル画像となる。より具体的には、エリアセンサ部４０１ｂにより読み取られた原稿４５の画像データに対し、表示部４０１ａは、図９（Ｂ）に示すように、プレビューエリア４１１にそのサムネイル画像４１３をプレビュー表示する。サムネイル画像４１３は、画像処理部１０２で生成するか、あるいは一体型表示部４０１内で生成すればよい。プレビュー表示を行うことで、ユーザは原稿の読み取り状態（仕上がり状態）を確認可能になる。プレビュー領域は、図９（Ｂ）に示したように「小サイズ原稿読取エリア」以外が好ましいが、そのエリア内とした場合には読み取った後で原稿４５を取り除いた段階でユーザはプレビュー表示を確認することができる。なお、用紙外形４１２はＡ４サイズが選択されており、この用紙外形矩形の中央にサムネイル画像４１３が表示される。
【００７５】
また、図９（Ｂ）の例では、ＧＵＩとして「Ｎｉｎ１」及び「読取完了」の確認を行うためのＮｉｎ１キー４１５及び読取完了キー４１６が表示されて、設定を受け付け可能となっている。Ｎｉｎ１キー４１５は、１ページに複数の原稿を集約するための集約（Ｎｉｎ１）モードに切り換えるか否かを確認するための操作キーである。ユーザがＮｉｎ１キー４１５を押下すると、原稿読取装置は、追加の原稿（原稿の裏面含む）の載置を待機する。そして、ユーザが追加の原稿をセットして「スタートキー」を押下すると、エリアセンサ部４０１ｂが追加の原稿を読み取り、表示部４０１ａがこれをプレビューエリア４１１にプレビュー表示する。この処理を追加原稿の数（Ｎ数）だけ繰り返す。このときの様子を図９（Ｃ）に示す。ここではＮｉｎ１キー４１５がグレー表示されてＮｉｎ１モードであることを示している。また、読取完了キー４１６は、追加原稿を読み取る処理を終了させるためのキーであり、このキーの押下により読み取りが完了する。
【００７６】
次に、図１０を参照して、原稿サイズの検知について説明する。図１０は、図７〜図９の一体型表示部上の原稿のサイズを検知する原稿サイズ検知部の一例を示す図である。メインＣＰＵ１０１は、原稿を載置すべき領域内、つまり「小サイズ原稿読取エリア」内の、各定形サイズに相当する位置に配置されたセンサの出力により、定形サイズか否かの判定を行うことが好ましい。ここで、各センサはエリアセンサの各受光素子を援用することが好ましいが、別途設けてもよい。なお、各センサを別途設けることによりエリアセンサの受光素子が欠けるような配置しかスペース的に無理な場合には、原稿画像を読み取った結果から欠けている画素を補正（補間）を行えば済む。
【００７７】
これらの各センサとして、図１０の例では、所定の定形サイズである「Ｓ（名刺）サイズ」、「Ｍ（写真）サイズ」、及び「Ｌ（免許証）サイズ」のそれぞれに対応する角部の原稿サイズ内とサイズ外の座標に、定形サイズ検出部（Ｄ１〜Ｄ６）が設けられている。この定形サイズ検出部の検出結果と、座標原点Ｐの反射光（Ｐを検出する検出部を別途設けてもよい）の検出結果とにより、定形サイズか否かを判定することができる。より具体的には、原稿が載置された領域（原稿領域）が、座標原点Ｐ（０，０）と１つの定形サイズ検出部の座標を含み、且つ、当該定形サイズに隣接する１つ大きい位置の定形サイズ検出部の座標を含まないときに、当該定形サイズであると判定する。例えば、原稿領域が座標原点Ｐ（０，０）とＤ１の座標を含み、且つＤ２の座標を含まない場合、Ｓサイズの定形原稿と判定する。また、座標原点ＰとＤ１がＯＮ（反射光有り）で且つＤ２〜Ｄ６がＯＦＦ（反射光なし）の場合にはＳサイズであり、定形サイズであると判定してもよい。座標原点ＰとＤ１〜Ｄ３がＯＮ（反射光有り）で且つＤ４〜Ｄ６がＯＦＦ（反射光なし）の場合には、Ｍサイズであり、定形サイズであると判定される。座標原点ＰとＤ１〜Ｄ５がＯＮ（反射光有り）で且つＤ６がＯＦＦ（反射光なし）の場合には、Ｌサイズであり、定形サイズであると判定される。このようにして定形サイズか否かを判定する。
【００７８】
なお、エリアセンサの各受光素子のうちいずれを定形サイズ検出部として用いるかを予め設定できるような構成を採用してもよい。これにより、任意の大きさの小サイズ原稿を予め定形サイズとして登録することができる。
【００７９】
次に、上述のごとき構成の原稿読取装置を備えた画像形成装置における処理例を、図１１〜図１３を参照して説明する。図１１〜図１３は、本発明の原稿読取装置が備える制御部（メインＣＰＵ１０１）による処理の一例を説明するためのフロー図である。ここで、図１２は図１１の続きのフロー図であり、図１３は図１１の一部の処理（読取モード処理）の例を説明するためのフロー図である。
【００８０】
図１１において、まず、メインＣＰＵ１０１は、キースイッチ部４０２へのキー入力の有無を判定する（ステップＳ１）。キー入力があった場合（ステップＳ１のＹＥＳの場合）、図１２のステップＳ１３に移行する。一方、キー入力がない場合（ステップＳ１のＮＯの場合）、エリアセンサ部４０１ｂのいずれかの受光素子で反射光の変化を検出したか否かを判定する（ステップＳ２）。ここでは、反射光の出力に変化があった場合、原稿等の物体が載置されたか、あるいはタッチ操作有りと判定する。そして、原稿が置かれた状態でもタッチ操作が検出できるように、反射光が変化した受光素子を検出するとよい。反射光の変化を検出した場合（ステップＳ２のＹＥＳの場合）、エリアセンサ部４０１ｂ上に原稿が載置されているのか否かを、エリアセンサ部４０１ｂ上の小サイズ原稿読取エリアに反射光があるか否かによって判定する（ステップＳ３）。一方、反射光の変化を検出しない場合（ステップＳ２のＮＯの場合）、ステップＳ１に戻り処理を繰り返す。
【００８１】
メインＣＰＵ１０１は、ステップＳ３での判定結果からエリアセンサ部４０１ｂ上に原稿が載置されていると判定した場合（ステップＳ４のＹＥＳの場合）、後述する「読取モード設定」のルーチンに移行して設定を実行する（ステップＳ５）。
【００８２】
一方、メインＣＰＵ１０１は、ステップＳ３での判定結果からエリアセンサ部４０１ｂ上に原稿が載置されていないと判定した場合（ステップＳ４のＮＯの場合）、タッチ操作であると判定し、反射光の変化のあった受光素子のＸ座標，Ｙ座標の最大値と最小値（Ｘｍａｘ，Ｙｍａｘ、Ｘｍｉｎ，Ｙｍｉｎ）の中心位置がＮｉｎ１キーの表示領域に含まれているか否かを判定する（ステップＳ７）。ここで、Ｘ座標，Ｙ座標の最大値と最小値の中心位置がＮｉｎ１キーの表示領域に含まれている場合（ステップＳ７のＹＥＳの場合）、Ｎｉｎ１モードに切り換える（ステップＳ８）。
【００８３】
一方、Ｘ座標，Ｙ座標の最大値と最小値の中心位置がＮｉｎ１キーの表示領域に含まれていない場合（ステップＳ７のＮＯの場合）、Ｘ座標，Ｙ座標の最大値と最小値の中心位置（Ｘｍａｘ，Ｙｍａｘ、Ｘｍｉｎ，Ｙｍｉｎ）が各種設定キー（用紙サイズ、倍率など）の表示領域に含まれているか否かを判定する（ステップＳ９）。ここで、Ｘ座標，Ｙ座標の最大値と最小値の中心位置が各種設定キーの表示領域に含まれている場合（ステップＳ９のＹＥＳの場合）、各種設定を実施する（ステップＳ１０）。
【００８４】
一方、Ｘ座標，Ｙ座標の最大値と最小値の中心位置が各種設定キーの表示領域に含まれていない場合（ステップＳ９のＮＯの場合）、Ｘ座標，Ｙ座標の最大値と最小値の中心位置（Ｘｍａｘ，Ｙｍａｘ、Ｘｍｉｎ，Ｙｍｉｎ）が読取完了キーの表示領域に含まれているか否かを判定する（ステップＳ１１）。ここで、Ｘ座標，Ｙ座標の最大値と最小値の中心位置が読取完了キーの表示領域に含まれている場合（ステップＳ１１のＹＥＳの場合）、記憶されている原稿画像を設定モードに従ってプリント出力する（ステップＳ１２）。一方、Ｘ座標，Ｙ座標の最大値と最小値の中心位置が読取完了キーの表示領域に含まれていない場合（ステップＳ１１のＮＯの場合）、ステップＳ１に戻り処理を繰り返す。
【００８５】
図１２において、メインＣＰＵ１０１は、図１１に示したステップＳ１でＹＥＳの場合（キー入力有りの場合）、スタートキーがＯＮされたか否かを判定する（ステップＳ１３）。スタートキーがＯＮされたと判定した場合（ステップＳ１３のＹＥＳの場合）、「小サイズ原稿読取モード」であるか否かを判定する（ステップＳ１４）。「小サイズ原稿読取モード」であると判定した場合（ステップＳ１４のＹＥＳの場合）、後述する「読取モード設定」（ステップＳ５）で設定された原稿読取領域の原稿をエリアセンサ部４０１ｂで読み取り、読み取った原稿画像を記憶する（ステップＳ１５）。
【００８６】
次に、メインＣＰＵ１０１は、Ｎｉｎ１モードが設定されているか否かを判定し（ステップＳ１６）、Ｎｉｎ１モードが設定されている場合（ステップＳ１６のＹＥＳの場合）、エリアセンサ部４０１ｂで読み取った原稿画像をこれまでに記憶した原稿画像に追加の頁として記憶する（ステップＳ１７）。そして、Ｎｉｎ１キー４１５、読取完了キー４１６の表示を行うと共に、読み取り済み画像データと設定モードに基づいてプリントしたときの出力状態（プレビュー）の画像を生成し表示する（ステップＳ１８）。例えば、Ｎｉｎ１モードであれば、読み取った原稿画像の総数をＮｉｎ１のＮ数（原稿数）として設定し、全ての原稿画像を用紙１面に合成して、合成後の画像をプレビュー表示する。
【００８７】
一方、Ｎｉｎ１モードが設定されていない場合（ステップＳ１６のＮＯの場合）、エリアセンサ部４０１ｂで読み取った原稿画像を記憶し（ステップＳ１９）、ステップＳ１８に移行する。なお、この場合、Ｎｉｎ１モードではないので、既に記憶した原稿画像があった場合には、この記憶済み原稿画像をクリアする。そして、図１１のステップＳ１に戻り処理を繰り返す。
【００８８】
また、メインＣＰＵ１０１は、「小サイズ原稿読取モード」でないと判定した場合（ステップＳ１４のＮＯの場合）、自動原稿処理装置（ＳＰＦ）１２０上に原稿が載置されていることを図示しない原稿センサで検知した場合、自動原稿処理装置１２０を用いて原稿の搬送、読取を行い、また、原稿センサで検知しない場合、原稿載置台９２上の原稿の読み取りを行う（ステップＳ２０）。そして、読み取った原稿画像をプリント出力し（ステップＳ２１）、図１１のステップＳ１に戻り処理を繰り返す。
【００８９】
また、メインＣＰＵ１０１は、スタートキーがＯＮされていないと判定した場合（ステップＳ１３のＮＯの場合）、クリアキーがＯＮされたかどうかを判定し（ステップＳ２２）、クリアキーがＯＮされたと判定した場合（ステップＳ２２のＹＥＳの場合）、設定をクリアする（ステップＳ２３）。一方、クリアキーがＯＮされていないと判定した場合（ステップＳ２２のＮＯの場合）、図１１のステップＳ１に戻り処理を繰り返す。
【００９０】
なお、上記フローではＮｉｎ１を確認する旨の確認入力を受け付けるように処理しているが、免許証などは裏表を１枚に合成する場合が多いので、Ｎｉｎ１モードの利用頻度が高い利用ケースでは小サイズ原稿読取モードの場合に予めＮｉｎ１モードに設定するようにしてもよい。
【００９１】
図１３を参照して、図１１のステップＳ５の読取モード設定について説明する。まず、メインＣＰＵ１０１は、エリアセンサ部４０１ｂで受光した反射光により小サイズ原稿読取エリア上に原稿が載置されていると判定された場合（図１１のステップＳ４のＹＥＳの場合）、原稿台９２上に原稿があるか否かの判定を行う（ステップＳ３１）。原稿台９２上に原稿が有るか否かは、公知の原稿サイズ検知手段（反射型又は透過型）の出力結果、もしくは原稿読取部３００において原稿台９２を読取スキャンして光量センサ３０１ｂの出力上に何らかの画像が得られたか否かで判定するとよい。
【００９２】
メインＣＰＵ１０１は、原稿台９２上に原稿が有った場合（ステップＳ３１でＹＥＳの場合）、図１０を参照して説明したように、定形サイズ検出部の検出結果から原稿のサイズが定形か否かを判定する（ステップＳ３２）。メインＣＰＵ１０１は、そのサイズが定形サイズであった場合（ステップＳ３３でＹＥＳの場合）、ステップＳ３２の判定に基づき原稿サイズをＳ、Ｍ、Ｌの何れかに設定することで原稿が載置された領域（原稿領域）を原稿読取領域として設定する（ステップＳ３４）。ステップＳ３４に続いて、メインＣＰＵ１０１は、「小サイズ原稿読取モード」に設定する（ステップＳ３５）。ステップＳ３５では、表示画面の表示を図９（Ａ）に示すように変更する。
【００９３】
また、メインＣＰＵ１０１は、不定形サイズであった場合（ステップＳ３３でＮＯの場合）、エリアセンサ部４０１ｂ上の原稿が不定形であるので、原稿台読取モードに設定し（ステップＳ３６）、ステップＳ１へ戻って最終的に、ステップＳ１４でＮＯとなってステップＳ２０で原稿台９２から原稿を読み取るように原稿読取部３００を制御することになる。
【００９４】
一方、メインＣＰＵ１０１は、原稿台９２上に原稿がなければ（ステップＳ３１でＮＯの場合）、定形サイズか否かの判定を経ずに、このステップＳ３４へ移行して、定形サイズ検出部の検出結果で示される領域（エリアセンサ部４０１ｂで検出した原稿領域）が不定形であったとしても、原稿読取領域として設定し、ステップＳ３５へ進む。
【００９５】
以上、図１１〜図１３を参照して画像形成装置における処理例について説明したが、図１３で説明した読取モード処理例の代わりに、次のような処理を採用してもよい。この処理例を、図１４を参照して説明する。図１４は、本発明の原稿読取装置が備える制御部（メインＣＰＵ１０１）による処理の他の例を説明するためのフロー図で、図１３の処理例とは異なる読取モード処理例を説明するためのフロー図である。
【００９６】
ここで説明する読取モード設定は、図１３のステップＳ３１に対応するステップＳ４１でＹＥＳであった場合に、図１３のステップＳ３２に対応するステップＳ４３へ進む前に、原稿領域の余白に選択ボタン（強制選択ボタン）を表示させる処理（ステップＳ４２）を実行するものである。ステップＳ４４〜Ｓ４７は、それぞれ図１３のステップＳ３３〜Ｓ４６に対応するものであり、ステップＳ４１，Ｓ４３と共に説明を省略する。
【００９７】
ステップＳ４２では、メインＣＰＵ１０１が表示部４０１ａを制御し、表示部４０１ａの原稿領域（原稿が載置された領域）以外の領域に、小サイズ原稿モードを強制的に選択（ＯＮ）するか、あるいは原稿台原稿を選択するかを、ユーザに選択させる強制選択ボタンを表示させる。そして、選択ボタンが表示された状態で、その強制選択ボタンが押下されたことをタッチパネル兼用のエリアセンサ部４０１ｂで検出した場合（ステップＳ９でＹＥＳの場合）、ステップＳ１０で小サイズ原稿読取モードに設定するとよい。
【００９８】
ステップＳ４２及びその表示処理後の処理について説明したように、メインＣＰＵ１０１は、表示部４０１ａの表示画面上と原稿台９２上の両方に原稿が載置されている場合に、そのいずれに対して読み取りを行うかをユーザ操作に基づき選択する選択手段を有することが好ましい。これにより、原稿台９２と表示部４０１ａの表示画面上の両方に原稿が載置されたときに、ユーザの意図しない方の原稿が誤って読み取られることを防止することができる。
【００９９】
この選択手段は、タッチパネルで操作可能な表示部４０１ａの余白領域（なお、本例のようにタッチパネルが表示部４０１ａ全体に設けられる場合には単に「表示部４０１ａの余白領域」を意味する）に読取キーを表示して、表示された読取キーをユーザが操作した場合に、表示画面上の原稿の読み取りをエリアセンサ部４０１ｂに実行させることが好ましい。この読取キーは、図９（Ａ）を参照しながら補足したスタート操作画像のようなキーとすればよいが、この例では原稿台９２と表示画面上の双方に原稿等の物体が検出されたときには少なくともその表示を実行するものとする。これにより、表示画面上に載置された原稿の読み取りを実行するための読取キーをタッチパネル上に表示するので、ユーザの視界に入り易く、間違うことなく操作できる。
【０１００】
以上、図１１〜図１４を参照して画像形成装置における２つの処理例について説明したが、原稿台／ＳＰＦからの原稿読み取り（例えば図１２のステップＳ２０）に関して、次に説明するような別の処理を実行するようにすることもできる。
【０１０１】
図１３又は図１４を一部参照しながら説明すると、原稿が表示部４０１ａの表示画面上にあり且つ原稿台９２にも原稿があると判定済みの場合（ステップＳ３１／Ｓ４１でＹＥＳの場合）、つまりステップＳ３５／Ｓ４６で小サイズ原稿読取モード設定がなされたときに、メインＣＰＵ１０１が、自動原稿送り装置１２０に原稿があるか否かを判定する。そして、メインＣＰＵ１０１は、自動原稿送り装置１２０に原稿がなかった場合には上述した通りの処理を実行すればよいが、原稿があった場合には、小サイズ原稿読取モードを解除し、原稿台読取モードにする。
【０１０２】
このように、メインＣＰＵ１０１は、自動原稿送り装置１２０と、原稿台９２上と、表示部４０１ａ上に同時に原稿を検知したときには、原稿台９２上の原稿の画像を原稿読取部３００で読み取る制御を行うことが好ましい。これにより、原稿台９２に原稿が載置されている状態で自動原稿送り装置１２０を動作させて原稿画像の読み取りを開始してしまうことを防止することができる。また、この制御と併せて、原稿台９２から原稿読取部３００で読み取った画像に対して、画像形成部２００等を制御してその画像を複写するよう切り換えることもできる。
【図面の簡単な説明】
【０１０３】
【図１】本発明の一実施形態に係る画像形成装置の構成例を示す図である。
【図２】図１に示した画像形成装置の構成例を示すブロック図である。
【図３】本発明に係る一体型表示部の構造の一例を示す図である。
【図４】図１及び図２で示した画像形成装置の構成例を示す外観図で、本発明の原稿読取装置が備える操作パネル上にのみ原稿が載置された状態を示す図である。
【図５】図１及び図２で示した画像形成装置の構成例を示す外観図で、本発明の原稿読取装置が備える操作パネル上と原稿台上の双方に別の原稿が載置された状態を示す図である。
【図６】図１及び図２で示した画像形成装置の構成例を示す外観図で、本発明の原稿読取装置が備える操作パネル上に跨って原稿台上に原稿が載置された状態を示す図である。
【図７】図４〜図６の操作パネルの詳細を示す外観図である。
【図８】図７の操作パネルにおける一体型表示部の表示内容の例を示す図である。
【図９】図８の一体型表示部に原稿を載置した例を示す図である。
【図１０】図７〜図９の一体型表示部上の原稿のサイズを検知する原稿サイズ検知部の一例を示す図である。
【図１１】本発明の原稿読取装置が備える制御部による処理の一例を説明するためのフロー図である。
【図１２】本発明の原稿読取装置が備える制御部による処理の一例を説明するためのフロー図で、図１１の続きである。
【図１３】本発明の原稿読取装置が備える制御部による処理の一例を説明するためのフロー図で、図１１の一部の処理の例を説明するためのフロー図である。
【図１４】本発明の原稿読取装置が備える制御部による処理の他の例を説明するためのフロー図で、図１１の一部の処理の他の例を説明するためのフロー図である。
【符号の説明】
【０１０４】
４５…定形サイズの原稿、９２…原稿台、９３，９４…原稿台上の原稿、１００…画像形成装置、１０１…メインＣＰＵ（制御部）、１０２…画像処理部、１０３…ＲＯＭ、１０４…ＲＡＭ、１０５…画像メモリ、１０６…ＮＩＣ、１０７…クライアントＰＣ、１１０…装置本体部、１２０…自動原稿送り装置、２００…画像形成部、２０１…定着ユニット、２０１ａ…定着ヒータ、２０１ｂ…定着温度センサ、２０２，３０２…ドライバ、２０３，３０３…サブＣＰＵ、２０４，３０４…Ａ／Ｄ、３００…原稿読取部、３０１…光源ランプユニット、３０１ａ…光源ランプ、３０１ｂ…光量センサ、４００…操作パネル、４０１…一体型表示部、４０１ａ…表示部、４０１ｂ…エリアセンサ部、４０２…キースイッチ部、４１０…メニュータブ、４１１…プレビューエリア、４１２…用紙外形、４１３…サムネイル画像、４１５…Ｎｉｎ１キー、４１６…読取完了キー。
【図１】
0004510900.tif 000002
【図２】
0004510900.tif 000003
【図３】
0004510900.tif 000004
【図４】
0004510900.tif 000005
【図５】
0004510900.tif 000006
【図６】
0004510900.tif 000007
【図７】
0004510900.tif 000008
【図８】
0004510900.tif 000009
【図９】
0004510900.tif 000010
【図１０】
0004510900.tif 000011
【図１１】
0004510900.tif 000012
【図１２】
0004510900.tif 000013
【図１３】
0004510900.tif 000014
【図１４】
0004510900.tif 000015